(57)【要約】  【課題】  ダンスパフォーマンスなどで今までにない新たな表現（風を用いた表現）が可能となるウェアラブル送風デバイスを提供する。  【解決手段】  ウェアラブル送風デバイス１は、ユーザの身体に装着される。ウェアラブル送風デバイス１は、ユーザの身体の第１の部分に装着されるセンサ２と、ユーザの身体の第２の部分に装着され、ユーザが身に着けた送風ターゲットに向けて送風する送風器３と、センサ２からの出力に基づいて、送風器３で発生させる風の風量の制御を行う制御ユニット４とを備える。送風ターゲットにより、送風器３で発生させる風が可視化される。【選択図】  図１
2020190213.tif 000002
【特許請求の範囲】
【請求項１】
ユーザの身体に装着されるウェアラブル送風デバイスであって、
前記ユーザの身体の第１の部分に装着されるセンサと、
前記ユーザの身体の第２の部分に装着され、前記ユーザが身に着けた送風ターゲットに向けて送風する送風器と、
前記センサからの出力に基づいて、前記送風器で発生させる風の風量の制御を行う制御ユニットと、
を備え、
前記送風ターゲットにより、前記送風器で発生させる風が可視化されることを特徴とするウェアラブル送風デバイス。
【請求項２】
前記制御ユニットは、前記センサからの出力に平滑化処理を施し、前記平滑化処理が施された前記センサからの出力に基づいて、前記送風器で発生させる風量を制御する、請求項１に記載のウェアラブル送風デバイス。
【請求項３】
前記センサは、前記第１の部分の傾きを検出する加速度センサであり、
前記制御ユニットは、前記第１の部分の傾きが大きいほど前記送風器で発生させる風量が大きくなるように、前記風量の制御を行う、請求項１または請求項２に記載のウェアラブル送風デバイス。
【請求項４】
前記センサは、前記ユーザの呼吸による吸気量を検出する呼吸センサであり、
前記制御ユニットは、前記ユーザの吸気量が大きいほど前記送風器で発生させる風量が大きくなるように、前記風量の制御を行う、請求項１または請求項２に記載のウェアラブル送風デバイス。
【請求項５】
前記センサは、前記ユーザの周囲の所定周波数の音の音量を検出する音センサであり、
前記制御ユニットは、前記所定周波数の音の音量が大きいほど前記送風器で発生させる風量が大きくなるように、前記風量の制御を行う、請求項１または請求項２に記載のウェアラブル送風デバイス。
【請求項６】
前記センサは、前記ユーザの周囲の物との距離を検出する距離センサであり、
前記制御ユニットは、前記ユーザの周囲の物との距離が小さいほど前記送風器から送風を行うように、前記風量の制御を行う、請求項１または請求項２に記載のウェアラブル送風デバイス。
【請求項７】
前記センサは、前記ユーザの周囲の所定波長の光の光量を検出する光センサであり、
前記制御ユニットは、前記所定波長の光の光量が大きいほど前記送風器で発生させる風量が大きくなるように、前記風量の制御を行う、請求項１または請求項２に記載のウェアラブル送風デバイス。
【請求項８】
前記センサは、前記ユーザの足裏からの加重を検出する加重センサであり、
前記制御ユニットは、前記ユーザの足裏からの加重が大きいほど前記送風器から送風を行うように、前記風量の制御を行う、請求項１または請求項２に記載のウェアラブル送風デバイス。
【請求項９】
前記センサは、前記ユーザの現在位置を検出する位置センサであり、
前記制御ユニットは、前記ユーザの現在位置が所定エリアに近づくほど前記送風器から送風を行うように、前記風量の制御を行う、請求項１または請求項２に記載のウェアラブル送風デバイス。
【請求項１０】
前記第１の部分は、前記ユーザの腕であり、
前記第２の部分は、前記ユーザの足であり、
前記送風ターゲットは、前記ユーザが身に着けた衣装である、請求項３に記載のウェアラブル送風デバイス。
【発明の詳細な説明】
【技術分野】
【０００１】
本発明は、ユーザの身体に装着されるウェアラブル送風デバイスに関する。
【背景技術】
【０００２】
従来、ユーザの身体に装着される送風デバイスとして、ユーザが下着と上着の間に装着しその空隙の空気を送風循環することにより冷涼効果を得る身体装着用送風機や、高温多湿の作業環境に効率的に適用する携帯扇風機が提案されている（例えば、特許文献１および特許文献２参照）。
【先行技術文献】
【特許文献】
【０００３】
【特許文献１】特開２００６−３０７８１７号公報
【特許文献２】特開２００２−１９５１８９号公報
【発明の概要】
【発明が解決しようとする課題】
【０００４】
しかしながら、従来のウェアラブル送風デバイスでは、ダンスパフォーマンスなどで用いることについては、まったく考慮されていない。
【０００５】
本発明は、上記の課題に鑑みてなされたもので、ダンスパフォーマンスなどで今までにない新たな表現（風を用いた表現）が可能となるウェアラブル送風デバイスを提供することを目的とする。
【課題を解決するための手段】
【０００６】
本発明のウェアラブル送風デバイスは、ユーザの身体に装着されるウェアラブル送風デバイスであって、前記ユーザの身体の第１の部分に装着されるセンサと、前記ユーザの身体の第２の部分に装着され、前記ユーザが身に着けた送風ターゲットに向けて送風する送風器と、前記センサからの出力に基づいて、前記送風器で発生させる風の風量の制御を行う制御ユニットと、を備え、前記送風ターゲットにより、前記送風器で発生させる風が可視化される。
【０００７】
この構成によれば、ユーザの身体の第１の部分に装着したセンサからの出力で、ユーザの身体の第２の部分に装着された送風器から、ユーザが身に着けた送風ターゲットに送風される風の風量が制御される。送風器で発生される風は、ユーザが身に着けた送風ターゲットにより可視化される。これにより、例えばダンスパフォーマンスなどで、今までにない新たな表現（風を用いた表現）が可能となる。
【０００８】
また、本発明のウェアラブル送風デバイスでは、前記制御ユニットは、前記センサからの出力に平滑化処理を施し、前記平滑化処理が施された前記センサからの出力に基づいて、前記送風器で発生させる風量を制御してもよい。
【０００９】
この構成によれば、センサからの出力に平滑化処理が施される。平滑化処理は、センサからの出力の急な変化を抑制する処理をいい、例えばローパスフィルタや遅延回路などで実現することができる。平滑化処理をセンサからの出力に施すことにより、送風ターゲットに送風される風の風量の急な変化を抑制することができる。
【００１０】
また、本発明のウェアラブル送風デバイスでは、前記センサは、前記第１の部分の傾きを検出する加速度センサであり、前記制御ユニットは、前記第１の部分の傾きが大きいほど前記送風器で発生させる風量が大きくなるように、前記風量の制御を行ってもよい。
【００１１】
この構成によれば、ユーザの身体の第１の部分（例えば、腕など）の傾きが加速度センサによって検出され、加速度センサからの出力に基づいて、ユーザの身体の第２の部分（例えば、足など）に装着された送風器から、ユーザが身に着けた送風ターゲット（例えば、衣装など）に送風される風の風量が制御される。このようにして、ユーザは、身体の第１の部分の傾きをかえることによって、身体の第２の部分から送風ターゲットに送風される風の風量をコントロールすることができる。ユーザが身体（第１の部分）の傾きでコントロールした風（空気の動き）が、ユーザが身に着けた送風ターゲットにより可視化され、これにより、例えばダンスパフォーマンスなどで、今までにない新たな表現（風を用いた表現）が可能となる。
【００１２】
また、本発明のウェアラブル送風デバイスでは、前記センサは、前記ユーザの呼吸による吸気量を検出する呼吸センサであり、前記制御ユニットは、前記ユーザの吸気量が大きいほど前記送風器で発生させる風量が大きくなるように、前記風量の制御を行ってもよい。
【００１３】
この構成によれば、ユーザの吸気量が呼吸センサによって検出され、呼吸センサからの出力に基づいて、送風ターゲットに送風される風の風量が制御される。このようにして、ユーザは、呼吸の吸気量をかえることによって、送風ターゲットに送風される風の風量をコントロールすることができる。このようにしてユーザが呼吸でコントロールした風（空気の動き）が、ユーザが身に着けた送風ターゲットにより可視化され、これにより、例えばダンスパフォーマンスなどで、今までにない新たな表現（風を用いた表現）が可能となる。
【００１４】
また、本発明のウェアラブル送風デバイスでは、前記センサは、前記ユーザの周囲の所定周波数の音の音量を検出する音センサであり、前記制御ユニットは、前記所定周波数の音の音量が大きいほど前記送風器で発生させる風量が大きくなるように、前記風量の制御を行ってもよい。
【００１５】
この構成によれば、ユーザの周囲の音（所定周波数の音）の音量が音センサによって検出され、音センサからの出力に基づいて、送風ターゲットに送風される風の風量が制御される。このようにして、ユーザの周囲の音の音量によって、送風ターゲットに送風される風の風量が制御される。このようにしてユーザの周囲の音で制御された風（空気の動き）が、ユーザが身に着けた送風ターゲットにより可視化され、これにより、例えばダンスパフォーマンスなどで、今までにない新たな表現（風を用いた表現）が可能となる。
【００１６】
また、本発明のウェアラブル送風デバイスでは、前記センサは、前記ユーザの周囲の物との距離を検出する距離センサであり、前記制御ユニットは、前記ユーザの周囲の物との距離が小さいほど前記送風器から送風を行うように、前記風量の制御を行ってもよい。
【００１７】
この構成によれば、ユーザの周囲の物との距離が距離センサによって検出され、距離センサからの出力に基づいて、送風ターゲットに送風される風の風量が制御される。このようにして、ユーザは、周囲の物との距離をかえることによって、送風ターゲットに送風される風の風量をコントロールすることができる。このようにしてユーザが周囲の物との距離でコントロールした風（空気の動き）が、ユーザが身に着けた送風ターゲットにより可視化され、これにより、例えばダンスパフォーマンスなどで、今までにない新たな表現（風を用いた表現）が可能となる。
【００１８】
また、本発明のウェアラブル送風デバイスでは、前記センサは、前記ユーザの周囲の所定波長の光の光量を検出する光センサであり、前記制御ユニットは、前記所定波長の光の光量が大きいほど前記送風器で発生させる風量が大きくなるように、前記風量の制御を行ってもよい。
【００１９】
この構成によれば、ユーザの周囲の光の光量（所定波長の光）が光センサによって検出され、光センサからの出力に基づいて、送風ターゲットに送風される風の風量が制御される。このようにして、ユーザの周囲の光の光量によって、送風ターゲットに送風される風の風量が制御される。このようにしてユーザの周囲の光で制御された風（空気の動き）が、ユーザが身に着けた送風ターゲットにより可視化され、これにより、例えばダンスパフォーマンスなどで、今までにない新たな表現（風を用いた表現）が可能となる。
【００２０】
また、本発明のウェアラブル送風デバイスでは前記センサは、前記ユーザの足裏からの加重を検出する加重センサであり、前記制御ユニットは、前記ユーザの足裏からの加重が大きいほど前記送風器から送風を行うように、前記風量の制御を行ってもよい。
【００２１】
この構成によれば、ユーザの足裏からの加重が加重センサによって検出され、加重センサからの出力に基づいて、送風ターゲットに送風される風の風量が制御される。このようにして、ユーザは、足裏への加重をかえることによって、送風ターゲットに送風される風の風量をコントロールすることができる。このようにしてユーザが足裏への加重でコントロールした風（空気の動き）が、ユーザが身に着けた送風ターゲットにより可視化され、これにより、例えばダンスパフォーマンスなどで、今までにない新たな表現（風を用いた表現）が可能となる。
【００２２】
また、本発明のウェアラブル送風デバイスでは、前記センサは、前記ユーザの現在位置を検出する位置センサであり、前記制御ユニットは、前記ユーザの現在位置が所定エリアに近づくほど前記送風器から送風を行うように、前記風量の制御を行ってもよい。
【００２３】
この構成によれば、ユーザの現在位置が位置センサによって検出され、位置センサからの出力に基づいて、送風ターゲットに送風される風の風量が制御される。このようにして、ユーザは、現在位置をかえることによって、送風ターゲットに送風される風の風量をコントロールすることができる。このようにしてユーザが現在位置でコントロールした風（空気の動き）が、ユーザが身に着けた送風ターゲットにより可視化され、これにより、例えばダンスパフォーマンスなどで、今までにない新たな表現（風を用いた表現）が可能となる。
【００２４】
また、本発明のウェアラブル送風デバイスでは、前記第１の部分は、前記ユーザの腕であり、前記第２の部分は、前記ユーザの足であり、前記送風ターゲットは、前記ユーザが身に着けた衣装であってもよい。
【００２５】
この構成によれば、ユーザは、ユーザの腕の傾きをかえることによって、ユーザの足からユーザの衣装に送風される風の風量をコントロールすることができる。
【発明の効果】
【００２６】
本発明によれば、ダンスパフォーマンスなどで今までにない新たな表現（風を用いた表現）が可能となる。
【図面の簡単な説明】
【００２７】
【図１】本発明の第１の実施の形態におけるウェアラブル送風デバイスの構成を示すブロック図である。
【図２】本発明の第１の実施の形態における風量の制御（ユーザの腕の傾きと風量の関係）を示すグラフである。
【図３】本発明の第２の実施の形態における風量の制御（ユーザの吸気量と風量の関係）を示すグラフである。
【図４】本発明の第３の実施の形態における風量の制御（ユーザの周囲の音量と風量の関係）を示すグラフである。
【図５】本発明の第４の実施の形態における風量の制御（ユーザの周囲の物との距離と風量の関係）を示すグラフである。
【図６】本発明の第５の実施の形態における風量の制御（ユーザの周囲の光量と風量の関係）を示すグラフである。
【図７】本発明の第６の実施の形態における風量の制御（ユーザの足裏からの加重と風量の関係）を示すグラフである。
【図８】本発明の第７の実施の形態における風量の制御（指定エリアまでの距離と風量の関係）を示すグラフである。
【発明を実施するための形態】
【００２８】
以下、本発明の実施の形態のウェアラブル送風デバイスについて、図面を用いて説明する。本実施の形態では、ユーザの身体に装着され、例えばダンスパフォーマンス等に用いられるウェアラブル送風デバイスの場合を例示する。
【００２９】
（第１の実施の形態）
本発明の第１の実施の形態のウェアラブル送風デバイスの構成を、図面を参照して説明する。図１は、本実施の形態のウェアラブル送風デバイスを示すブロック図である。図１に示すように、ウェアラブル送風デバイス１は、ユーザの身体の第１の部分に装着されるセンサ２と、ユーザの身体の第２の部分に装着される送風器３と、センサ２からの出力に基づいて送風器３で発生させる風の風量の制御を行う制御ユニット４を備えている。
【００３０】
例えば、ユーザの身体の第１の部分は、ユーザの腕であり、センサ２は、ユーザが腕に着用したリストバンド等に設けられる。また、ユーザの身体の第２の部分は、ユーザの足であり、送風器３は、ユーザが足に着用したシューズ（シューズの外側面）等に設けられる。送風器３は、ユーザが身に着けた送風ターゲットに向けて送風する。
【００３１】
また、送風ターゲットは、ユーザが身に着けた衣装であり、送風器３で発生させる風を可視化する機能を備えている。例えば、送風ターゲットは、衣装の背中部分に設けられたヴェール等であり、風を受けてたなびくことにより、送風器３からの風を可視化することができる。また、制御ユニット４は、無線（または有線）で送風器３と通信する機能を備えてきる。制御ユニット４としては、例えば、小型の携帯デバイス等を利用することができる。
【００３２】
なお、制御ユニット４は、送風器３で発生させる風の風量を表示（フィードバック表示）する機能を備えてもよい。風量の表示は、制御ユニット４で行われてもよい。その場合、制御ユニット４は、簡易ディスプレイやＬＥＤなどの表示機能を備えている。また、風量の表示は、他の表示装置で行われてもよい。その場合、制御ユニット４は、他の表示装置との通信機能を備えている。また、制御ユニット４は、送風器３で発生させる風の風量のログを記録する機能を備えてもよい。ログの表示は、制御ユニット４（簡易ディスプレイ等を備えた制御ユニット４）で行われてもよく、他の表示装置で行われてもよい。
【００３３】
本実施の形態では、センサ２は、ユーザの腕の傾きを検出する加速度センサ２であり、ユーザの手首に装着されるリストバンド等に設けられる。センサ２は、ユーザの腕の傾きを検出して傾き値として出力する機能を備えている。例えば、ユーザが腕を下げた状態（ユーザの腕先が鉛直下方向を向いた状態）では、センサ２は傾き値として０という値を出力し、ユーザが腕を上げた状態（ユーザの腕先が鉛直上方向を向いた状態）では、センサ２は傾き値として２５５という値を出力する（図２参照）。
【００３４】
図２は、本実施の形態における制御ユニット４による風量の制御（ユーザの腕の傾きと風量の関係）を示すグラフである。図２に示すように、制御ユニット４は、ユーザの腕の傾き（傾き値）が大きいほど送風器３で発生させる風量が大きくなるように、風量の制御を行う。また、制御ユニット４は、センサ２からの出力に平滑化処理を施し、平滑化処理が施されたセンサ２からの出力に基づいて、送風器３で発生させる風量を制御する機能を備えている。
【００３５】
このような第１の実施の形態のウェアラブル送風デバイス１によれば、ユーザの腕に装着したセンサ２からの出力で、ユーザの足に装着された送風器３から、ユーザが身に着けた送風ターゲットに送風される風の風量が制御される。送風器３で発生される風は、ユーザが身に着けた送風ターゲットにより可視化される。これにより、例えばダンスパフォーマンスなどで、今までにない新たな表現（風を用いた表現）が可能となる。
【００３６】
より具体的には、本実施の形態では、ユーザの腕の傾きが加速度センサ２によって検出され、加速度センサ２からの出力に基づいて、ユーザの足に装着された送風器３から、ユーザが身に着けた送風ターゲット（衣装など）に送風される風の風量が制御される。このようにして、ユーザは、ユーザの腕の傾きをかえることによって、ユーザの足から送風ターゲットに送風される風の風量をコントロールすることができる。ユーザが腕の傾きでコントロールした風（空気の動き）が、ユーザが身に着けた送風ターゲットにより可視化され、これにより、例えばダンスパフォーマンスなどで、今までにない新たな表現（風を用いた表現）が可能となる。
【００３７】
また、本実施の形態では、センサ２からの出力に平滑化処理が施される。平滑化処理は、センサ２からの出力の急な変化を抑制する処理をいい、例えばローパスフィルタや遅延回路などで実現することができる。平滑化処理をセンサ２からの出力に施すことにより、送風ターゲットに送風される風の風量の急な変化を抑制することができる。
【００３８】
（第２の実施の形態）
次に、本発明の第２の実施の形態のウェアラブル送風デバイス１について説明する。ここでは、第２の実施の形態のウェアラブル送風デバイス１が、第１の実施の形態と相違する点を中心に説明する。ここで特に言及しない限り、本実施の形態の構成および動作は、第１の実施の形態と同様である。
【００３９】
本実施の形態では、センサ２は、ユーザの呼吸による吸気量を検出する呼吸センサ２であり、ユーザの腹部に設けられる。センサ２は、ユーザの呼吸による吸気量をユーザの腹部の曲がり具合として検出し、吸気量を曲がり値として出力する機能を備えている。例えば、ユーザが息を吐き切った状態では、センサ２は曲がり値として３０という値を出力し、ユーザが息を吸い込んだ状態では、センサ２は曲がり値として２５５という値を出力する（図３参照）。
【００４０】
図３は、本実施の形態における制御ユニット４による風量の制御（ユーザの吸気量と風量の関係）を示すグラフである。図３に示すように、制御ユニット４は、ユーザの吸気量（曲がり値）が大きいほど送風器３で発生させる風量が大きくなるように、風量の制御を行う。
【００４１】
このような第２の実施の形態のウェアラブル送風デバイス１によっても、第１の実施の形態と同様の作用効果が奏される。
【００４２】
本実施の形態では、ユーザの吸気量が呼吸センサ２によって検出され、呼吸センサ２からの出力に基づいて、送風ターゲットに送風される風の風量が制御される。このようにして、ユーザは、呼吸の吸気量をかえることによって、送風ターゲットに送風される風の風量をコントロールすることができる。このようにしてユーザが呼吸でコントロールした風（空気の動き）が、ユーザが身に着けた送風ターゲットにより可視化され、これにより、例えばダンスパフォーマンスなどで、今までにない新たな表現（風を用いた表現）が可能となる。
【００４３】
（第３の実施の形態）
次に、本発明の第３の実施の形態のウェアラブル送風デバイス１について説明する。ここでは、第３の実施の形態のウェアラブル送風デバイス１が、第１の実施の形態と相違する点を中心に説明する。ここで特に言及しない限り、本実施の形態の構成および動作は、第１の実施の形態と同様である。
【００４４】
本実施の形態では、センサ２は、ユーザの周囲の所定周波数の音の音量を検出する音センサ２であり、ユーザが所持する携帯デバイス等に設けられる。例えば、所定周波数は、拍手音の周波数（１．６ｋＨｚ付近がピーク値）である。センサ２は、バンドパスフィルタ機能を備えており、拍手音の近傍の周波数（１〜２ｋＨｚ）の音の音量を検出して出力する機能を備えている。また、所定周波数は、歓声（人の声）の周波数であってもよい。その場合、センサ２は、人の声の近傍の周波数（１２０Ｈｚ〜３００Ｈｚ）の音の音量を検出して出力する。
【００４５】
図４は、本実施の形態における制御ユニット４による風量の制御（ユーザの周囲の音量と風量の関係）を示すグラフである。図４に示すように、制御ユニット４は、ユーザの周囲の音量が大きいほど送風器３で発生させる風量が大きくなるように、風量の制御を行う。なお、上記のバンドパスフィルタ機能は、センサ２ではなく、制御ユニット４が備えていてもよい。
【００４６】
このような第３の実施の形態のウェアラブル送風デバイス１によっても、第１の実施の形態と同様の作用効果が奏される。
【００４７】
本実施の形態では、ユーザの周囲の音（所定周波数の音）の音量が音センサ２によって検出され、音センサ２からの出力に基づいて、送風ターゲットに送風される風の風量が制御される。このようにして、ユーザの周囲の音の音量によって、送風ターゲットに送風される風の風量が制御される。このようにしてユーザの周囲の音で制御された風（空気の動き）が、ユーザが身に着けた送風ターゲットにより可視化され、これにより、例えばダンスパフォーマンスなどで、今までにない新たな表現（風を用いた表現）が可能となる。
【００４８】
（第４の実施の形態）
次に、本発明の第４の実施の形態のウェアラブル送風デバイス１について説明する。ここでは、第４の実施の形態のウェアラブル送風デバイス１が、第１の実施の形態と相違する点を中心に説明する。ここで特に言及しない限り、本実施の形態の構成および動作は、第１の実施の形態と同様である。
【００４９】
本実施の形態では、センサ２は、ユーザの周囲の物との距離を検出する距離センサ２であり、ユーザが所持する携帯デバイス等に設けられる。センサ２は、ユーザの周囲の物との距離（ｍｍ）を検出して出力する機能を備えている。
【００５０】
図５は、本実施の形態における制御ユニット４による風量の制御（ユーザの周囲の物との距離と風量の関係）を示すグラフである。図５に示すように、制御ユニット４は、ユーザの周囲の物との距離が小さいほど送風器３から送風を行うように、風量の制御を行う。
【００５１】
このような第４の実施の形態のウェアラブル送風デバイス１によっても、第１の実施の形態と同様の作用効果が奏される。
【００５２】
本実施の形態では、ユーザの周囲の物との距離が距離センサ２によって検出され、距離センサ２からの出力に基づいて、送風ターゲットに送風される風の風量が制御される。このようにして、ユーザは、周囲の物との距離をかえることによって、送風ターゲットに送風される風の風量をコントロールすることができる。このようにしてユーザが周囲の物との距離でコントロールした風（空気の動き）が、ユーザが身に着けた送風ターゲットにより可視化され、これにより、例えばダンスパフォーマンスなどで、今までにない新たな表現（風を用いた表現）が可能となる。
【００５３】
（第５の実施の形態）
次に、本発明の第５の実施の形態のウェアラブル送風デバイス１について説明する。ここでは、第５の実施の形態のウェアラブル送風デバイス１が、第１の実施の形態と相違する点を中心に説明する。ここで特に言及しない限り、本実施の形態の構成および動作は、第１の実施の形態と同様である。
【００５４】
本実施の形態では、センサ２は、ユーザの周囲の所定波長の光の光量を検出する光センサ２であり、ユーザが所持する携帯デバイス等に設けられる。例えば、所定波長は、可視光領域の波長である。センサ２は、バンドパスフィルタ機能を備えており、可視光領域の近傍の波長（４００ｎｍ〜７００ｎｍ）の光の光量を検出して出力する機能を備えている。
【００５５】
図６は、本実施の形態における制御ユニット４による風量の制御（ユーザの周囲の光量と風量の関係）を示すグラフである。図６に示すように、制御ユニット４は、ユーザの周囲の光量が大きいほど送風器３で発生させる風量が大きくなるように、風量の制御を行う。なお、上記のバンドパスフィルタ機能は、センサ２ではなく、制御ユニット４が備えていてもよい。
【００５６】
このような第５の実施の形態のウェアラブル送風デバイス１によっても、第１の実施の形態と同様の作用効果が奏される。
【００５７】
本実施の形態では、ユーザの周囲の光の光量（所定波長の光）が光センサ２によって検出され、光センサ２からの出力に基づいて、送風ターゲットに送風される風の風量が制御される。このようにして、ユーザの周囲の光の光量によって、送風ターゲットに送風される風の風量が制御される。このようにしてユーザの周囲の光で制御された風（空気の動き）が、ユーザが身に着けた送風ターゲットにより可視化され、これにより、例えばダンスパフォーマンスなどで、今までにない新たな表現（風を用いた表現）が可能となる。
【００５８】
（第６の実施の形態）
次に、本発明の第６の実施の形態のウェアラブル送風デバイス１について説明する。ここでは、第６の実施の形態のウェアラブル送風デバイス１が、第１の実施の形態と相違する点を中心に説明する。ここで特に言及しない限り、本実施の形態の構成および動作は、第１の実施の形態と同様である。
【００５９】
本実施の形態では、センサ２は、ユーザの足裏からの加重を検出する加重センサ２であり、ユーザが足に着用したシューズ（シューズの靴底面）等に設けられる。センサ２は、ユーザの足裏からの加重を検出して出力する機能を備えている。
【００６０】
図７は、本実施の形態における制御ユニット４による風量の制御（ユーザの足裏からの加重と風量の関係）を示すグラフである。図７に示すように、制御ユニット４は、ユーザの足裏からの加重が大きいほど送風器３から送風を行うように、風量の制御を行う。
【００６１】
このような第６の実施の形態のウェアラブル送風デバイス１によっても、第１の実施の形態と同様の作用効果が奏される。
【００６２】
本実施の形態では、ユーザの足裏からの加重が加重センサ２によって検出され、加重センサ２からの出力に基づいて、送風ターゲットに送風される風の風量が制御される。このようにして、ユーザは、足裏への加重をかえることによって、送風ターゲットに送風される風の風量をコントロールすることができる。このようにしてユーザが足裏への加重でコントロールした風（空気の動き）が、ユーザが身に着けた送風ターゲットにより可視化され、これにより、例えばダンスパフォーマンスなどで、今までにない新たな表現（風を用いた表現）が可能となる。
【００６３】
（第７の実施の形態）
次に、本発明の第７の実施の形態のウェアラブル送風デバイス１について説明する。ここでは、第７の実施の形態のウェアラブル送風デバイス１が、第１の実施の形態と相違する点を中心に説明する。ここで特に言及しない限り、本実施の形態の構成および動作は、第１の実施の形態と同様である。
【００６４】
本実施の形態では、センサ２は、ＧＰＳやビーコンなどを利用して、ユーザの現在位置を検出する位置センサ２であり、ユーザが所持する携帯デバイス等に設けられる。センサ２は、ユーザの足裏からの加重を検出して出力する機能を備えている。
【００６５】
図８は、本実施の形態における制御ユニット４による風量の制御（指定エリアまでの距離と風量の関係）を示すグラフである。図８に示すように、制御ユニット４は、ユーザの現在位置が所定エリアに近づくほど送風器３から送風を行うように、風量の制御を行う。
【００６６】
このような第７の実施の形態のウェアラブル送風デバイス１によっても、第１の実施の形態と同様の作用効果が奏される。
【００６７】
本実施の形態では、ユーザの現在位置が位置センサ２によって検出され、位置センサ２からの出力に基づいて、送風ターゲットに送風される風の風量が制御される。このようにして、ユーザは、現在位置をかえることによって、送風ターゲットに送風される風の風量をコントロールすることができる。このようにしてユーザが現在位置でコントロールした風（空気の動き）が、ユーザが身に着けた送風ターゲットにより可視化され、これにより、例えばダンスパフォーマンスなどで、今までにない新たな表現（風を用いた表現）が可能となる。
【００６８】
以上、本発明の実施の形態を例示により説明したが、本発明の範囲はこれらに限定されるものではなく、請求項に記載された範囲内において目的に応じて変更・変形することが可能である。
【産業上の利用可能性】
【００６９】
以上のように、本発明にかかるウェアラブル送風デバイスは、ダンスパフォーマンスなどで今までにない新たな表現（風を用いた表現）が可能となるという効果を有し、例えばダンスパフォーマンス用のウェアラブルデバイス等として有用である。
【符号の説明】
【００７０】
１  ウェアラブル送風デバイス
２  センサ
３  送風器
４  制御ユニット
【図１】
2020190213.tif 000003
【図２】
2020190213.tif 000004
【図３】
2020190213.tif 000005
【図４】
2020190213.tif 000006
【図５】
2020190213.tif 000007
【図６】
2020190213.tif 000008
【図７】
2020190213.tif 000009
【図８】
2020190213.tif 000010